(57)【特許請求の範囲】
【請求項１】
複数のオーディオのサービスが多重化されマルチキャリア変調が行われた放送を受信するデジタルオーディオ放送の受信機において、
前記複数のオーディオのサービスのデータフレームにおける複数のサービスの番組に対応する各々のサブチャンネルのオーディオデータに関連するＰＡＤ情報を解析してＰＡＤ情報に含まれる文字列を求めるＰＡＤ解析部と、
前記ＰＡＤ解析部で得られた文字列とその文字列の出現頻度とを記憶する記憶部と、
現在受信している複数のサービスの番組のＰＡＤ情報に含まれる文字列と前記記憶部に記憶された出現頻度が上位の文字列とが一致する場合に、一致した文字列に対応する番組を出力させる制御部とを備えることを特徴とするデジタルオーディオ放送の受信機。
【請求項２】
前記記憶部は、所定のタイムスパン内の前記ＰＡＤ解析部で得られる文字列とその文字列の出現頻度とを記憶することを特徴とする請求項１に記載のデジタルオーディオ放送の受信機。
【請求項３】
前記制御部は、現在受信している各番組のＰＡＤ情報に含まれる文字列と前記記憶部に記憶された出現頻度がより上位の文字列とが複数一致する場合に、出現頻度が上位の文字列に対応する番組を出力することを特徴とする請求項１又は２に記載のデジタルオーディオ放送の受信機。
【請求項４】
前記制御部は、一致した文字列に対応する番組の出力許可又は禁止の制御を行うことを特徴とする請求項１〜３のいずれか一つに記載のデジタルオーディオ放送の受信機。
【請求項５】
前記記憶部に記憶された出現頻度が上位の文字列は、出現頻度の閾値に基づいて選択されることを特徴とする請求項１〜４のいずれか一つに記載のデジタルオーディオ放送の受信機。
【請求項６】
前記タイムスパンは、外部から任意に設定されることを特徴とする請求項２〜５のいずれか一つに記載のデジタルオーディオ放送の受信機。
【請求項７】
前記出現頻度の閾値は、外部から任意に設定されることを特徴とする請求項５に記載のデジタルオーディオ放送の受信機。
【請求項８】
通知音を出力する通知音出力部を備え、
前記制御部は、現在受信している各番組のＰＡＤ情報に含まれる文字列と前記記憶部に記憶された出現頻度が上位の文字列とが一致する場合に、前記通知音出力部から通知音を出力させることを特徴とする請求項１〜６のいずれか一つに記載のデジタルオーディオ放送の受信機。
【請求項９】
前記制御部は、前記通知音の出力許可又は禁止の制御を行なうことを特徴とする請求項８記載のデジタルオーディオ放送の受信機。
【請求項１０】
前記制御部は、一致した文字列に対応する番組が終了した場合に、前記対応する番組を出力する前の番組に戻すことを特徴とする請求項１〜９のいずれか一つに記載のデジタルオーディオ放送の受信機。
【請求項１１】
前記制御部は、前記記憶部に記憶された文字列と文字列の出現頻度とをリセットする制御を行うことを特徴とする請求項１〜１０のいずれか一つに記載のデジタルオーディオ放送の受信機。
【発明の詳細な説明】
【０００１】
【発明の属する技術分野】
本発明は移動受信に適するデジタルオーディオ放送（ＤＡＢ）の受信機に関し、特にデジタルオーディオ放送により提供されるサービスデータを活用し、好みの番組又は最近のトピックを扱う番組を簡単な操作で提供することができる受信機に関する。
【０００２】
【従来の技術】
上記デジタルオーディオ放送の受信機として直交周波数分割多重方式（ＯＦＤＭ）を採用するものがある。デジタルオーディオ放送では複数の音声プログラムを多重化するためマルチキャリア変調が行われる。受信機では一括で送信された複数の音声プログラムから好みの１つの音声プログラムを選択して聞くことが可能である。この場合、通常のラジオ受信機のように、音声プログラムを順次切り換えて聞き好みのものを選択することが可能である。
【０００３】
デジタルオーディオ放送の受信機では、さらに、音声プログラムと共に音声プログラムを説明するデータも送信されている。このデータを表示させてこれを見て、音声プログラムを聞かずに、この中から一つの音声プログラムを直接的に選択することが可能である。前述のように音声プログラムを選択して聞く例と比較すると、一々音声プログラムを聞かずともよいので時間の短縮の点で有利である。
【０００４】
【発明が解決しようとする課題】
しかしながら、データ表示を直接見て音声プログラムの選択する例においては、音声プログラムが好みのものがどうかは表示から判断しなければならない。この表示から音声プログラムの内容が判断できなければ、結局、音声プログラムに切り換えなければならず時間の短縮をあまり期待できないという問題がある。
【０００５】
さらに、データ表示からの判断では表示を見なければならないけれど、自動車のような移動体の使用では、データ表示の視認時間は短い方が好ましい。
したがって、本発明は、好みの音声プログラムを短時間で視聴可能なデジタルオーディオ放送の受信機を提供することを目的とする。
【０００６】
【課題を解決するための手段】
本発明は、複数のオーディオのサービスが多重化されマルチキャリア変調が行われた放送を受信するデジタルオーディオ放送の受信機において、前記複数のオーディオのサービスのデータフレームのヘッダに位置し前記サービスの制御データを含むＦＩＣ情報を抽出するＦＩＣデコード部と、前記ＦＩＣデコード部から得た前記制御データを解析して前記制御データに含まれる番組情報を求めるＦＩＣ解析部と、前記複数のオーディオのサービスのデータフレームのＦＩＣ情報に続く複数のサブチャンネルの各々のオーディオデータに付随してオーディオデータに関連するデータを含むＰＡＤ情報を解析してＰＡＤ情報に含まれるトピックを求めるＰＡＤ解析部と、前記ＦＩＣ解析部で得られた番組情報及び前記ＰＡＤ解析部で得られたトピックを記憶し、トピックの出現頻度でトピックのソートと、トピックの出現頻度とを記憶するための記憶部と、前記記憶部に記憶されるトピックを一定のタイムスパン内の出現頻度でソートし表示してソートされたトピックを前記記憶部に記憶させる表示操作部と、現在受信している複数のサービスの番組から前記ＰＡＤ解析部より得られたトピックで前記記憶部に記憶され且つソートされたトピックを検索し上位のトピックと一致する場合には対応するトピックの番組を出力させる制御部とを備えることを特徴とするデジタルオーディオ放送の受信機を提供する。
【０００７】
この手段によりＰＡＤ情報に含まれる番組のトピックの出現頻度が高い番組を自動的に得られるようになり、現在何がトップ情報なのかを知ることが可能になる。
【０００８】
【発明の実施の形態】
以下本発明の実施の形態について図面を参照して説明する。
図１は本発明に係るデジタルオーディオ放送の受信機を説明する図である。本図に示す如く、直交周波数分割多重方式（ＯＦＤＭ）のデジタルオーディオ放送の受信機は、デジタルオーディオ放送を受信するアンテナ１と、アンテナ１に接続され受信信号の送信周波数のダウンコンバートを行ってベースバンドに変換し複数のアンサンブルから任意の１つのアンサンブルを選択する高周波部（ＲＦ）２と、高周波部２に接続されアナログ信号をデジタル信号に変換するＡ／Ｄ変換器３（Analog to Digital Converter)と、Ａ／Ｄ変換器３に接続されデジタル信号を高速フーリエ変換して復調を行う復調部４と、復調部４より得られたデータのデーコドを行い複数のサービスのチャンネルから任意の１つのチャンネルを選択するチャンネルデコード部５と、チャンネルデコード部５で選択されたチャンネルについて圧縮されたオーディオデータのデコードを行うオーディオデコード部６と、オーディオデコード部６に接続されデジタル信号をアナログ信号に変換するＤ／Ａ変換器７(Digital to Analog Converter) と、Ｄ／Ａ変換器７の出力信号に後述するビープ音信号を加算する加算部８と、加算部８の出力信号を増幅するパワーアンプ９と、パワーアンプ９に接続され音声信号を音に再生するスピーカ１０とを具備する。
【０００９】
チャンネルデコード部５には復調部４から得たデータのデコードとして誤り訂正等のデコードを行って複数のサービスのチャンネルから任意の１つのチャンネルのサービスを選択するデコード／選択部５１と、復調部４から得たデータのヘッダに存在するＦＩＣ（高速情報チャンネル）のデータをデコードするＦＩＣデコード部５２が設けられる。
【００１０】
制御部１１はマイクロコンピュータであり、これにはＦＩＣデコード部５２からのデータを分析してサービス等を識別するＦＩＣ解析部１１１と、デコード／選択部５１でデコードされたデータに含まれるＰＡＤ情報（プログラム関連データ）を解析してトピックを識別するＰＡＤ解析部１１２が設けられる。
制御部１１はデコード／選択部５１に任意の１つのチャンネルを選択させる制御を行い、さらには高周波部２に任意の１つのアンサンブルを選択させる制御を行う。
【００１１】
記憶部１２はＲＡＭ(Random Access Memory)で構成され、制御部１１のＦＩＣ解析部１１１、ＰＡＤ解析部１１２等で得られた結果を記憶する。
ビープ音形成部１３はビープ音信号を加算部８に加えてスピーカ１０からビープ音を出力する。制御部１１は、後述するが、例えば、好みの番組が放送されていると、ビープ音形成部１３にビープ音を出力させる制御を行う。
【００１２】
表示操作部１４は制御部１１のＦＩＣ解析部１１１、ＰＡＤ解析部１１２等の出力結果に基づいてユーザがアンサンブルの選択、サービスの選択の操作、好みの番組の選択条件の設定操作等を行えるように表示、操作を行う。
図２は表示操作部１４におけるアンサンブルの選択の操作例を説明する図である。本図に示す如く、受信前には表示操作部１４のアンサンブルの選択表示には、操作ボタンＡ、Ｂ、Ｃ、Ｄが表示される。タッチスイッチにより任意の１つの操作ボタン、例えば操作ボタンＢを押して、アンサンブルの選択が行われる。この場合、操作ボタンＢが明るく表示され、他の操作ボタンは暗く表示される。
【００１３】
図３は表示操作部１４におけるサービスの選択の操作例を説明する図である。表示操作部１４でアンサンブル設定後に、表示画面の下部の進むのボタンを押すと、本図に示すサービスの選択表示が行われる。例えば、選択されたアンサンブルＢに含まれるサービスの種類としてラジオ局ａ、ラジオ局ｂ、ラジオ局ｃ、ラジオ局ｄ、ラジオ局ｅ、ラジオ局ｆの番組が提供可能であることが表示される。ユーザはこれらの中から任意の１つのラジオ局のサービスをタッチスイッチにより選択可能である。さらに、ラジオ局の番組登録のボタンを押すことにより、現在聞いているラジオ局の番組の情報が記憶部１２に記憶される。
【００１４】
図４は受信されるアンサンブルを説明する図である。本図に示す如く、アンサンブルは、例として、１９０〜２３０ＭＨｚ帯又は１４５２〜１４９２ＭＨｚ帯において、アンサンブルＡ、Ｂ、Ｃ、Ｄが設けられ、これらは操作ボタンのＡ、Ｂ、Ｃ、Ｄに対応する。各アンサンブルは一定の周波数間隔に位置し、各々のアンサンブルには１．５ＭＨｚ帯域を有する１シンボルに多数の被変調マルチキャリアで構成される。
【００１５】
図５はデジタルオーディオ放送のサービスとデータフレームとの関係例を示す図である。本図に示す如く、例えば、１つのアンサンブルＢには、複数のサービスとして、ラジオ局ａ、ラジオ局ｂ、ラジオ局ｃ等のサービスが含まれる。各サービスには少なくとも１以上のサービスコンポーネントが含まれ、本図の場合にはラジオ局ａにはサービスコンポーネントとしてオーディオａ’と、データｃ’と、ＴＭＣｅ’と、が含まれる。ここに、例えば、データｃ’は天気予報のデータ等であり、ＴＭＣは交通メッセージ（交通渋滞）チャンネルのデータである。なお、データｃ’と、ＴＭＣｅ’とは表示操作部１４に表示される。
【００１６】
また、ラジオ局ｂにはサービスコンポーネントとしてオーディオａ’又はｂ’と、データｃ’と、ＴＭＣｅ’とが含まれる。ラジオ局ｃにはサービスコンポーネントとしてオーディオｄ’と、ＴＭＣｅ’とが含まれる。他のラジオ局（省略）についても同様である。
次に、デジタルオーディオ放送のデータフレームはヘッダにＦＩＣ（高速情報チャンネル）と、その後にＭＳＣ（主サービスチャンネル）とを具備する。ＦＩＣは、階層構造を有し、複数のＦＩＢ（高速情報ブロック）で構成され、ＦＩＢのデータフィールドは複数のＦＩＧ（高速情報グループ）からなり、ＦＩＧはヘッダとＦＩＧデータフィールドとで構成される。このＦＩＧデータフィールドには、時間、日付、タイプ、ラベル、データの配列、トラヒック・メッセージ（ＴＭＣ）制御等が含まれている。これらには、ラジオ局の番組の識別ラベルも含まれる。
【００１７】
なお、ＦＩＣはインタリーブされないが、ＭＳＣは複数のＣＩＦ（共通インタリーブフレーム）に区分されてインタリーブが行われる。
ＭＳＣは多数のＳｕｂＣｈ（サブチャンネル）に区分けされ、各ＳｕｂＣｈは前述の１シンボルに対応する。前述の各サービスコンポーネントは各ＳｕｂＣｈで構成される。例えば、オーディオのサブコンポーネントはニュース、天気予報等のスピーチ（会話）の場合と比較して音楽の場合にはＳｕｂＣｈの構成数が増加し、音楽の場合でもモノラルと比較してステレオの場合にはＳｕｂＣｈの構成数が増加する。
【００１８】
また、デジタルオーディオ放送には伝送モードによりデータフレームの構成が、下記表の如く、異なる。
【００１９】
【表１】
0003636419.tif 000002
【００２０】
図６は図５のＳｕｂＣｈの構成例を示す図である。本図に示す如く、ＳｕｂＣｈにはヘッダ、ＣＲＣ(Cyclic Redundancy Check Code)、オーディオデータ、長さ調整のスタッフ(stuff) 、Ｘ−ＰＡＤ、スケールファクタ(SCF) ＣＲＣ、Ｆ−ＰＡＤが設けられる。ここに、Ｆ−ＰＡＤ（プログラム関連データ）はＳｕｂＣｈのダイナミックレンジ制御に関するデータである。Ｘ−ＰＡＤ（プログラム関連データ）にはＳｕｂＣｈに含まれるトピックとして音楽の曲名、歌手名、ニュースの事件名（強盗事件名、スポーツ名等）等の内容概略説明のデータがある。
【００２１】
次に、制御部１１は、図３に示す如く、表示操作部１４の表示でラジオ局の番組登録のボタンが押されると、ＦＩＣ解析部１１１から得た番組情報を記憶部１２に登録し始める。
図７は番組自動選択モードの初期条件設定の例を説明する図である。図３の下部の進むボタンを押すと、表示操作部１４に、本図に示す番組自動選択モードの初期条件設定のための表示が現れる。この表示には、通知ｏｎ／ｏｆｆのボタン、自動出力ｏｎ／ｏｆｆのボタン、優先順位設定ｏｎ／ｏｆｆのボタン、リターンｏｎ／ｏｆｆのボタン及びリセットｏｎ／ｏｆｆのボタンがある。これらのｏｎ／ｏｆｆボタンが好みに合わせて押される。
【００２２】
制御部１１は、通知ｏｎ／ｏｆｆのボタンがｏｎの場合には登録番組の開始の都度ビープ音を出力させる。制御部１１は、自動出力ｏｎ／ｏｆｆのボタンがｏｎの場合には異なる番組を聞いていて登録番組の放送が開始された場合にはこの登録番組を放送しているラジオ局に切り換える。制御部１１は、優先順位設定ｏｎ／ｏｆｆのボタンがｏｎの場合には同時刻に複数の登録番組が放送される場合にはそれらのうち優先順位の高い登録番組を放送しているラジオ局に切り換える。制御部１１は、リターンｏｎ／ｏｆｆのボタンがｏｎの場合には選択された登録番組の終了後に終了番組から元の番組の放送を行っていた放送局に戻す。制御部１１は、リセットｏｎ／ｏｆｆのボタンがｏｎの場合にはｏｎに設定されたボタンをｏｆｆに切り換える。さらに、制御部１１は、以上のボタンがｏｆｆの場合には以上の動作を禁止する。
【００２３】
図８は登録番組とその優先順位を説明する図である。本図の左側に示す如く、図３に示す表示操作部１４でラジオ局の番組登録のボタンが押される度に記憶部１２には現在聞いている番組が登録、蓄積される。そして、制御部１１は現在受信している複数のサービスの番組でこれらの登録番組を検索し、検索された登録番組（例えば、図中の「番組２」）に対応するサービスの番組を選択して出力させる。制御部１１の検索は、具体的には、現在受信しているラジオ局ａ、ｂ、ｃ、ｄ、ｅ、ｆの番組をａ0 、ｂ0 、ｃ0 、ｄ0 、ｅ0 、ｆ0 と、登録番組１、２…ｎとし、番組をａ0 、ｂ0 、ｃ0 、ｄ0 、ｅ0 、ｆ0 のいずれか１つが登録番組１、２…ｎのいずれか１つと一致するかを検索し、例えば、番組ａ0 が登録番組２と一致すれば、番組ａ0 が出力される。
【００２４】
図７の優先順位設定ｏｎ／ｏｆｆのボタンがｏｎになる場合には、表示操作部１４は、図８の右側のように登録番組を表示し且つ同時刻の登録番組（ｋ、ｐ）を点滅表示してユーザに登録番号に優先順位を付けさせる。この場合、番組ｋの優先順位を１位に、番組ｐの優先順位を２位に設定されるとする。制御部１１は検索結果又は２つ以上の該当する登録番組がある場合には優先順位が高い登録番組（番組ｋ）に対応する番組を出力させる。なお、この設定がｏｆｆの場合で同時刻に２以上の番組有る場合には手動で番組を選択するようにしてもよい。
【００２５】
図９は制御部１１の一連の動作を説明するフローチャートである。本図に示す如く、ステップＳ１において、制御部１１は、表示操作部１４における通知ｏｎ／ｏｆｆのボタン、自動出力ｏｎ／ｏｆｆのボタン、優先順位設定ｏｎ／ｏｆｆのボタン、リターンｏｎ／ｏｆｆのボタン及びリセットｏｎ／ｏｆｆのボタンの初期設定条件をモニタする。
【００２６】
ステップＳ２において、制御部１１はＦＩＣ解析部１１１の解析結果から文字列の番組情報を入力する。
ステップＳ３において、制御部１１は現在受信している番組に登録番組が含まれるかを検索し、含まれなければステップＳ４に進む。
ステップＳ４、５において、現在聞いている番組がユーザの好みであるかを判断し、好みであれば登録し、登録番組を蓄積する。制御部１１は図３に示すラジオ局の番組登録のボタンを押されると、現在聞いている番組を好みの番組と判断し、この番組を記憶部１２に登録させる。なお、現在聞いている番組が好みでなければ、図３において他のサービス（ラジオ局）のボタンを押して好みの番組を探してもよい。
【００２７】
ステップＳ６、７において、制御部１１はリセットｏｎ／ｏｆｆのボタンがｏｎならば、ステップＳ５で記録部１２に登録した番組をリセットする。これにより、ユーザの好みが変わったり、ユーザ自体が変わった場合にも初期条件設定を新たに行うことができ、柔軟に対応可能になる。
ステップＳ８、９において、ステップＳ３において一致すれば、制御部１１は通知ｏｎ／ｏｆｆのボタンがｏｎならば、ビープ音を出力して登録番組開始を知らせる。これにより、ユーザの好みの番組が開始したことを知らせることができる。番組が何らかの原因で遅延しても有効である。
【００２８】
ステップＳ１０、１１、１２おいて、制御部１１は自動出力ｏｎ／ｏｆｆのボタンがｏｎならば、登録番組を出力する。ユーザが手動で切り換える動作が不要になる。番組が何らかの原因で遅延しても有効である。
ステップＳ１３、１４、１５において、制御部１１は優先順位設定ｏｎ／ｏｆｆのボタンがｏｎならば、同時刻に複数の好みの番組があるときユーザによって決められた優先順位の高い番組を出力させる。好みが競合しても、ユーザが手動で切り換える動作が不要になる。
【００２９】
ステップＳ１６、１７、１８において、制御部１１は登録番組終了後には自動切換の直前の元の番組のラジオ局に戻す。自動切換前のラジオ局が最善でなくても次善の好みのラジオ局である場合が多いので、これに戻して切換の手動動作を低減する。
以上のように本実施例によれば、ユーザが好みの音声プログラムを短時間に且つデータ表示の短い視認時間で聞くことが可能になり、このため複雑な操作が不要となりユーザの選択範囲が広がる。
【００３０】
図１０は図７における番組自動選択モードの初期条件設定の別の例を説明する図である。本図に示す如く、表示操作部１４におけるサービスの選択の表示を行う時に、ＰＡＤ（プログラム関連データ）情報記憶のボタンを押すと、図５で説明したＳｕｂＣｈの各々についてＸ−ＰＡＤのトピックとその出現頻度とが記憶部１２に記憶される。
【００３１】
図１１はＰＡＤ情報による番組自動選択モードの初期条件設定の例を説明する図である。図１０の下部の進むボタンを押すと、表示操作部１４に、本図に示すＰＡＤ情報による番組自動選択モードの初期条件設定のための表示が現れる。この表示には、タイムスパンの設定のボタン、ソート順位の閾値設定のボタン、ソート設定ｏｎ／ｏｆｆのボタン、通知ｏｎ／ｏｆｆのボタン、自動出力ｏｎ／ｏｆｆのボタン、リターンｏｎ／ｏｆｆのボタン及びリセットｏｎ／ｏｆｆのボタンがある。これらのｏｎ／ｏｆｆボタンがユーザの好みに合わせて押される。
【００３２】
通知ｏｎ／ｏｆｆのボタン、自動出力ｏｎ／ｏｆｆのボタン、リターンｏｎ／ｏｆｆのボタン、リセットｏｎ／ｏｆｆのボタンの説明は図７の説明と同様であるので省略する。
図１２は図１１のタイムスパンの設定の例を説明する図である。図１１においてタイムスパンの設定のボタンが押されると、表示操作部１４に本図に示すタイムスパンの設定の表示が現れる。この表示では、例えば、日単位、週単位、月単位でタイムスパンを設定することができ、この例ではタイムスパンを２週間に設定している。
【００３３】
図１３はソート順位の閾値設定の例を説明する図である。図１１においてソート順位の閾値設定のボタンが押されると、表示操作部１４に本図に示すソート順位の閾値設定の表示が現れる。ソート順位の閾値はＰＡＤに出現するトピックの出現頻度の上位のトピックを選択する閾値である。この例では閾値を５とし、上位５つのトピックに絞っている。
【００３４】
図１４はトピックの出現頻度を説明する図である。図１０の表示操作部１４の表示でＰＡＤ情報記憶のボタンが押されると、制御部１１はＰＡＤ解析部１１２から文字列のＰＡＤ情報を入力して記憶部１２にトピックとして記憶させ、設定されたタイムスパン内で図１４に示す如くトピックの出現頻度を記憶させる。
図１５はトピックのソートの例を説明する図である。本図に示す如く、表示操作部１４では記憶部１２のトピックとそのトピックに、出現頻度を基に、出現順位が付けられる。図１１の表示操作部１４でソート設定のボタンが押されると、本図に示す如く、出現順位に基づいてトピックがソートされる。さらに図１１の表示操作部１４でソート順位の閾値設定のボタンが押されると図１５に示すように閾値以上のトピックが選択される。この選択されたトピックは、制御部１１の番組の検索に用いられる。すなわち、選択されたトピックと一致する番組がある場合には他の番組を聞いているときでも、選択されたトピックに対応する番組に切り換えられる。また、ソートされたトピックの順位に閾値を設けて上位の出現頻度のトピックに絞るのは現在のトップ情報を優先して聞けるようにするためである。また、下位のトピックにより頻繁に番組が切り換わるのを回避するためである。
【００３５】
図１６は制御部１１の一連の別の動作を説明するフローチャートである。本図に示す如く、ステップＳ２１、２２は図９のステップＳ１、２と同様である。
ステップＳ２３において、制御部１１のＰＡＤ解析部１１２は文字列のＰＡＤ情報を入力してトピックを抽出する解析を行う。
ステップＳ２４において、制御部１１は、現在受信している番組のトピックとソートされたトピックとが一致するかを判断し、一致しなければステップＳ２５に進む。
【００３６】
ステップＳ２５、２６、２７において、制御部１１はタイムスパン内のトピックを記憶部１２に記憶させる。記憶部１２ではトピックを出現頻度に基づいてソートが行われ、ソートされたトピックが上位トピックに絞られる。これにより、最近のよくかかる音楽（曲名）、ニュース等の番組が優先的に選択される。
ステップＳ２９、３０は図９のステップＳ６、７と同様である。
【００３７】
ステップ３１、３２、３３、３４、３５、３８、３９、４０は図９のステップＳ８、９、１０、１１、１２、１６、１７、１８と同様である。
ステップＳ３６、３７において、現在のトピックがソートされたトピックの順位よりも高いかを判断し、高ければ、高い順位のトピックの番組を出力する。例えば、現在出現頻度４位のスポーツＢの番組を聞いていて出現頻度１位の曲名Ａの番組が始まればこの番組に切り換わる。このように出現頻度が高い番組を選択するのに、ユーザが手動で切り換える動作が不要になる。
【００３８】
結果として、出現頻度が高い最近の音声プログラムを短時間に且つデータ表示の短い視認時間で聞くことが可能になり、このため複雑な操作が不要となりユーザの選択範囲が広がる。
図１７はトピックのソートの別の例を説明する図である。本図に示す如く、制御部１４により記憶部１２ではラジオ局ａ、ｂ、ｃ、ｄ、ｅ、ｆ毎にトピックのソートが行われ、ソートされたトピックが出現頻度の上位のものに絞られる。このようにラジオ局毎に絞ったトピックは、現在聞いているラジオ局の番組のトピックの順位よりも他のラジオ局の番組のトピックの順位が高いかを判断し順位の高いラジオ局に切り換えるために使用される。例えば、現在ラジオ局ａの番組ａ4 を聞いていて他のラジオ局ｂで番組ｂ2 が始まり、番組ｂ2 の出現順位が番組ａ4 よりも高い場合には番組ｂ2 に切り換わる。
【００３９】
図１８は図１７のトピックのソートを説明するフローチャートである。本図に示す如く、図１６と異なるのはステップＳ５７、５８、ステップＳ６６、６７であり、その他のステップは同様である。
ステップＳ５７、５８において、記憶部１２ではラジオ局毎にソートが行われ、ラジオ局毎に上位のトピックを絞る。
【００４０】
ステップＳ６６、６７において、制御部１１は、現在のトピックよりも他のラジオ局のトピックが高い順位にあるかを判断し、順位の高いトピックのラジオ局の番組を出力する。
このように、ラジオ局毎に高いトピックの番組を選択するようにしても、前述のように、ラジオ局全体で高いトピックの番組を選択しても同様の作用効果を得ることができる。
【００４１】
【発明の効果】
以上の説明により本発明によれば、ＦＩＣ情報に含まれる番組情報を用いて好みの番組が自動的に得られるようになり、操作が非常に簡単になり、さらにＰＡＤ情報に含まれる番組のトピックの出現頻度が高い番組を自動的に得られるようになり、現在何がトップ情報なのかを知ることが可能になる。
【図面の簡単な説明】
【図１】  本発明に係るデジタルオーディオ放送の受信機を説明する図である。
【図２】  表示操作部１４におけるアンサンブルの選択の操作例を説明する図である。
【図３】  表示操作部１４におけるサービスの選択の操作例を説明する図である。
【図４】  受信されるアンサンブルを説明する図である。
【図５】  デジタルオーディオ放送のサービスとデータフレームとの関係例を示す図である。
【図６】  図５のＳｕｂＣｈの構成例を示す図である。
【図７】  番組自動選択モードの初期条件設定の例を説明する図である。
【図８】  登録番組の優先順位を説明する図である。
【図９】  制御部１１の一連の動作を説明するフローチャートである。
【図１０】  図７における番組自動選択モードの初期条件設定の別の例を説明する図である。
【図１１】  ＰＡＤ情報による番組自動選択モードの初期条件設定の例を説明する図である。
【図１２】  図１１のタイムスパンの設定の例を説明する図である。
【図１３】  ソート順位の閾値設定の例を説明する図である。
【図１４】  トピックの出現頻度を説明する図である。
【図１５】  トピックのソートの例を説明する図である。
【図１６】  制御部１１の一連の別の動作を説明するフローチャートである。
【図１７】  トピックのソートの別の例を説明する図である。
【図１８】  図１７のトピックのソートを説明するフローチャートである。
【図１】
0003636419.tif 000003
【図２】
0003636419.tif 000004
【図３】
0003636419.tif 000005
【図４】
0003636419.tif 000006
【図５】
0003636419.tif 000007
【図６】
0003636419.tif 000008
【図７】
0003636419.tif 000009
【図８】
0003636419.tif 000010
【図９】
0003636419.tif 000011
【図１０】
0003636419.tif 000012
【図１１】
0003636419.tif 000013
【図１２】
0003636419.tif 000014
【図１３】
0003636419.tif 000015
【図１４】
0003636419.tif 000016
【図１５】
0003636419.tif 000017
【図１６】
0003636419.tif 000018
【図１７】
0003636419.tif 000019
【図１８】
0003636419.tif 000020